(57)【要約】本発明は、自動車用のディスクブレーキ（２）において、キャリパ（４）と、ライニングと、アクチュエータ（４２）及びピストン（２０）と、ライニングの磨耗を補償することができ、アクチュエータ（４２）とピストン（２０）の間に挿入されていて、アクチュエータがキャリパに対して第１方向に滑動すると、ピストンを滑動させるようになっている接続手段（７０）と、を備えたブレーキに関する。接続手段は（７０）は、滑動中にはピストン（２０）がアクチュエータ（４２）に対して動かないようにし、第２方向には、ピストンがアクチュエータに対して動けるようにする楔効果を発揮できるように構成されている。【選択図】図２
2004533590.tif 000002
【特許請求の範囲】
【請求項１】
自動車用のディスクブレーキ（２）において、
キャリパ（４）と、
ライニング（２２、２４）と、
アクチュエータ（４２）及びピストン（２０）と、
ライニングの磨耗を補償することができ、前記アクチュエータ（４２）と前記ピストン（２０）の間に挿入されていて、前記アクチュエータが前記キャリパに対して第１方向に滑動すると、前記ピストンを滑動させるようになっている接続手段（７０）であって、滑動中には前記ピストン（２０）が前記アクチュエータ（４２）に対して動かないようにし、前記アクチュエータが第２方向に滑動する際には前記ピストンが前記アクチュエータに対して動けるようにする楔効果を発揮できるよう構成されている接続手段（７０）と、を備えており、
前記接続手段（７０）は、
前記アクチュエータ（４２）に接続された少なくとも１つの接触面（７４；１７４；２７４；３７４）と、
前記ピストン（２０）に接続された少なくとも１つの接触面（８０；１８０；２８０；３８０）と、を備えており、
前記アクチュエータと前記ピストンに接続された前記接触面（８０、７４；３８０、３７４）は、円錐の一部の形状を有していることを特徴とするブレーキ。
【請求項２】
前記接続手段（７０）は、更に、それぞれ、前記アクチュエータに接続された接触面と前記ピストンに接続された接触面に対して押し付けることができる少なくとも２つの支持部材（８２；１８２；２８２；３８２）を備えていることを特徴とする請求項１に記載のブレーキ。
【請求項３】
前記支持部材を第１方向に戻す手段（９６）を備えていることを特徴とする請求項２に記載のブレーキ。
【請求項４】
前記ピストン又は前記アクチュエータの何れか、好ましくは前記ピストン（２０）と一体で滑動し、前記戻し手段（９６）が押し当てられている、支持具（９１）を備えていることを特徴とする請求項３に記載のブレーキ。
【請求項５】
前記アクチュエータ及び前記ピストンに接続された接触面（１８０、１７４；２８０，２７４）は、平坦であることを特徴とする請求項１から４の何れか一項に記載のブレーキ。
【請求項６】
前記アクチュエータ及び前記ピストンに接続された接触面の内少なくとも１つには、支持部材（３８２）の１つを収容する溝（３７３）があることを特徴とする請求項１から５の何れか一項に記載のブレーキ。
【請求項７】
前記接触面の内少なくとも１つ（７４；１７４；２７４；３７４）は、前記ピストンが滑動する方向、即ち第１方向に対して傾斜しており、前記接触面の内少なくとも他の１つ（８０；１８０；２８０；３８０）は、第２方向に傾斜していることを特徴とする請求項１から６の何れか一項に記載のブレーキ。
【請求項８】
前記支持部材はボール（３８２）を備えていることを特徴とする請求項１から７の何れか一項に記載のブレーキ。
【請求項９】
前記支持部材はローラー（２８２）を備えていることを特徴とする請求項１から８の何れか一項に記載のブレーキ。
【請求項１０】
前記支持部材は、全ての面が平坦なパッド（１８２）を備えていることを特徴とする請求項１から９の何れか一項に記載のブレーキ。
【請求項１１】
前記支持部材は、面の幾つか（８４、８６）が円錐の一部の形状を有するパッド（８２）を備えていることを特徴とする請求項１から１０の何れか一項に記載のブレーキ。
【請求項１２】
前記ピストン（２０）を前記キャリパ（４）に対して第２方向に戻すための部材（１１０）を備えており、前記ピストンは、前記キャリパに対する前記ピストンの移動距離が所定の移動距離を超える分に対しては前記戻し部材に対して滑動できるようになっていることを特徴とする請求項１から１１の何れか一項に記載のブレーキ。
【請求項１３】
前記ピストンから独立して前記支持部材を第２方向に動かすことができるロック解除部材（１０２）を更に備えていることを特徴とする請求項１から１２の何れか一項に記載のブレーキ。
【請求項１４】
前記ロック解除部材（１０２）は、前記ピストン（２０）内へと伸張し、滑動の方向（１６）に関しては、前記アクチュエータ（４２）と前記ライニング（２２，２４）の間に、中心軸方向に挿入されていることを特徴とする請求項１３に記載のブレーキ。
【請求項１５】
前記ロック解除部材（１０２）は、チャンバの境界を定め、外気から前記チャンバを密封していることを特徴とする請求項１３又は１４に記載のブレーキ。
【請求項１６】
前記ロック解除部材は、シールリップ（１０５）を備えていることを特徴とする請求項１３から１５の何れか一項に記載のブレーキ。
【請求項１７】
前記アクチュエータに接続されている各接触面（７４）を支えるスライダ（４７２ａ）を備えており、前記スライダは、前記アクチュエータ（４２）に対して、前記アクチュエータの前記キャリパ（６）に対する基準移動距離よりも短い距離しか滑動できないようになっているので、前記アクチュエータが基準移動距離の間に前記スライダを駆動できるようになっていることを特徴とする請求項１から１６の何れか一項に記載のブレーキ。
【請求項１８】
流体に圧力を掛けると、前記ピストン（２０）を移動させてブレーキを掛けることができるように、流体のチャンバ（５４）を備えており、前記アクチュエータ（４２）は、前記ピストン（２０）を前記チャンバから隔離するようなやり方で前記チャンバの境界を定めていることを特徴とする請求項１から１７の何れか一項に記載のブレーキ。
【請求項１９】
駐車ブレーキレバーハンドルにより入力軸（２６）を回転させることにより作動させることができるようになっている内蔵式駐車ブレーキを備えていることを特徴とする１から１８の何れか一項に記載のブレーキ。
【請求項２０】
前記入力軸（２６）の回転運動により前記アクチュエータ（４２）を中心軸方向に前記入力軸から離れる方向に動かす運動変換器（３２）が、前記入力軸（２６）と前記アクチュエータ（４２）の間に配置されていることを特徴とする請求項１９に記載のブレーキ。
【請求項２１】
前記ブレーキは滑動式のブレーキであることを特徴とする請求項１から２０の何れか一項に記載のブレーキ。
【発明の詳細な説明】
【技術分野】
【０００１】
本発明は、自動車のディスクブレーキに関する。
【背景技術】
【０００２】
キャリパと、２つのブレーキパッドと、滑動伝達装置(gear)と、ピストンを備えているディスクブレーキは既知である。ブレーキを作動させるよう命令されると、可動伝達装置が滑動し、それによってピストンが滑動し、ピストンが一方のパッドをディスクの一方の面に押し付け、それにより他方のパッドをディスクの他方の面に押し付ける。ピストンの運動は、パッドをディスクから遠ざけるか、又はディスクに近づける運動であり、これによりピストンの基準移動距離が規定される。また、ブレーキを繰り返し作動させるとパッドが徐々に磨耗することも既知である。この磨耗により、理論上は基準移動距離が増すことになるが、とりわけ、ブレーキ指令に続いて直ちに制動が行なわれるようにするには、この事態は回避されるべきことである。
【０００３】
この不都合な点を緩和するために、可動伝達装置内において、パッド磨耗を補償することを目指した接続手段が提案されている。この装置は、ネジと、ネジを受け入れるナットとで構成され可変長の押圧ロッドを形成している。この装置は、一方のパッドが磨耗した場合、ブレーキの作動により、ナットに対してネジを回転させて、押圧ロッドの長さを増し、それにより磨耗分を補償するように構成されている。
【発明の開示】
【課題を解決するための手段】
【０００４】
本発明の目的は、異なる種類の磨耗補償手段を提供することである。
このために、本発明により提供される自動車用のディスクブレーキは、
−キャリパと、
−ライニングと、
−アクチュエータ及びピストンと、
−ライニングの磨耗を補償することができ、アクチュエータとピストンの間に挿入されていて、アクチュエータがキャリパに対して第１方向に滑動すると、ピストンを滑動させるようになっている接続手段と、を備え、前記接続手段は、滑動中にはピストンがアクチュエータに対して動かないようにし、アクチュエータが第２方向に滑動する際にはピストンがアクチュエータに対して動けるようにする楔効果(wedge effect)を発揮できるように構成されている。
こうして、磨耗に対する補償は、ここでは楔効果により行なわれる。上記接続手段は、滑動に関する限り、一方方向には回転自在であるが反対方向にはそうでない自由車輪(free wheel)の原理に対する等価性を有している。
【０００５】
本発明によるブレーキは、更に、以下の特徴の少なくとも何れか１つも備えており、その特徴とは以下の通りである：
−接続手段は、アクチュエータに接続された少なくとも１つの接触面と、ピストンに接続された少なくとも１つの接触面と、それぞれ、アクチュエータに接続された接触面とピストンに接続された接触面に対して押し付けることができる少なくとも２つの支持部材と、を備えている、
−ブレーキは、支持部材を第１方向に戻す手段を備えている、
−ブレーキは、ピストン又はアクチュエータの何れか、好ましくはピストンと一体で滑動し、戻し手段が押し当てられている、支持具を備えている、
−アクチュエータとピストンとに接続された接触面は、円錐の一部の形状を有する、
−アクチュエータとピストンとに接続された接触面は平坦である、
−アクチュエータとピストンとに接続された接触面の内少なくとも１つには、支持部材の１つを収容する溝がある、
−前記接触面の内少なくとも１つは、ピストンが滑動する方向、即ち第１方向に対して傾斜しており、前記接触面の内少なくとも他の１つは、第２方向に傾斜している、
−支持部材はボールを備えている、
−支持部材は、ローラーを備えている、
−支持部材は、全ての面が平坦なパッドを備えている、
−支持部材は、面の幾つかが円錐の一部の形状を有するパッドを備えている、
−ブレーキは、ピストンをキャリパに対して第２方向に戻すための部材を備えており、ピストンは、キャリパに対するピストンの移動距離が所定の移動距離を超える分に対しては戻し部材上を滑動できるようになっている、
−ブレーキは、更に、ピストンから独立して支持部材を第２方向に動かすことができるロック解除部材を備えている、
−ロック解除部材は、ピストン内へと伸張し、滑動の方向に関しては、アクチュエータとライニングの間に、中心軸方向に挿入されている、
−ロック解除部材は、チャンバの境界を定め、外気からチャンバを密封する、
−ロック解除部材は、シールリップを備えている、
−ブレーキは、アクチュエータに接続されている各接触面を支えるスライダを備えており、前記スライダは、アクチュエータに対して、アクチュエータのキャリパに対する基準移動距離よりも短い移動距離しか滑動できないので、アクチュエータが基準移動距離の間ににスライダを駆動できるようになっている、
−ブレーキは、流体に圧力を掛けると、ピストンを移動させてブレーキを掛けることができるように、流体のチャンバを備えており、アクチュエータは、ピストンをチャンバから隔離するようなやり方でチャンバの境界を定めている、
−ブレーキは、内蔵式駐車ブレーキを備えた形式のブレーキである、
−ブレーキは滑動式のブレーキである。
【発明を実施するための最良の形態】
【０００６】
本発明のこの他の特徴及び利点は、１つの好適な実施形態及び代わりの実施形態についての以下の説明から更に明らかとなるであろうが、これらは、本発明に何ら限定を加えるものではない。
【０００７】
本発明によるブレーキの好適な実施形態を、図１に詳細に、そして図２により詳細に示す。ブレーキ２は、本体６、本体に向かい合って伸びるノーズ部８、及びノーズ部を本体に接続する湾曲部１０で、周知の様に構成されたキャリパ４を備えている。ノーズ部、湾曲部、及び本体は、全体的形状がＵ字型のキャリパの半分を形成し、ノーズ部と本体の間に湾曲部に面して空間１２が残される。この実施形態では、車輌ディスクブレーキは、内蔵式駐車ブレーキを有しているので、一方ではブレーキペダルを用いた車輌油圧回路により、他方では駐車ブレーキレバーハンドルにより機械的に、作動させることができる。
本体６は、中心軸１６を有する全体的に円筒形状の内凹部１４を有している。円筒形凹部１４は、ノーズ８に面して、空間１２内に開口した軸方向遠位端を有している。
【０００８】
ブレーキは、円筒形凹部１４内に収容され、その中を中心軸１６に沿って滑動可能な全体的に円筒形状のピストン２０を備えている。ピストン２０は、中心軸に対して垂直な基本的に平坦な形状のブレーキライニング、この事例ではパッド２２、を支える軸方向遠位端を有している。ノーズ８は、ライニング２２に平行に且つそれに面して伸びる、ライニング２２と同様の別のライニング２４を支えている。周知のように、これら２つのパッドは、その間にある（図示しない）１つの同じディスクの２つの面それぞれに押し付けて、ディスク作用するパッドの摩擦によりディスクを制動しようとするものである。
ブレーキ２は、中心軸１６を有する、周知の型式の入力軸２６を備えており、入力軸１６は、図示しない方法で車輌の駐車ブレーキレバーハンドルに接続され、このレバーハンドルを操作すると中心軸１６を中心に回転するようになっている。
【０００９】
ブレーキは、入力軸２６の回転運動を滑動運動に変換することのできる運動変換器３２と、一方では、この滑動運動をピストンに伝達することのできる、磨耗を補償する接続手段７０を備えている。制動時に運動学的順序で力が伝達される方向に関し、変換器は、磨耗補償接続手段の上流側にある。接続手段７０を考察する前に、先ず最初に変換器３２について説明する。
入力軸２６は、従来型の転がり軸受け手段２８が挿入されたキャリパの本体６の軸受内に収容されており、軸受の上流には従来型のシール３０が設けられている。運動変換器３２は、板３４を備えているが、明快さを期し、ここでは滑動板という用語を使用する。この板３４は、中心軸１６を有する平担な円形状であり、その面の内の１つの面により軸２６の遠位端に固定されている。変換器は、更に、板３４と形状が似ている別の板３６備えており、ここでは反力板と呼ぶことにする。板３６は、滑動板３４と同軸である。板３６は、軸２６が貫通する中央開口３８を有している。反力板３６は、円筒形ハウジング１４の軸方向近位端で本体６に剛直に固定されている。
【００１０】
従って、滑動板３４と反力板３６は、互いに向かい合い且つ互いに対して平行な面を有している。上記２つの板それぞれは、上記面内に溝３７を有しており、各溝は、全体的形状が中心軸１６を中心とする円弧状になっている。更に、各溝は、深さが溝に沿って変化している。溝は向かい合う溝部同士が対となるように配置されている。変換器３２は、各溝の対の中に収容され、従って２つの板の間に挿入されているボール４０を備えている。例えば、３個のボールと３対の溝がある。ボールを備えた２つの板は、ＢＩＲ（ボール・イン・ランプ：傾斜路内ボール）型の装置を形成する周知の様式で構成されている。例えば、ＥＰ−０６３３９８７号に記載されているようなこの型式の装置を使えば、ここに説明する代表的な実施形態の場合、軸２６を中心軸回りに回転させると、この軸を中心軸１６に沿ってピストン２０の方向に並進移動させ、軸に螺旋に近い経路を追従させるようにすることができる。先行技術によるＢＩＲ型の変換器内の２つの板の配置は、一般に、一方の板の純粋な回転運動を他方の板の純粋な滑動運動に変換する目的を有している。現下の代表的実施形態におけるディスク配置では、特にリアクションディスク３６をキャリパに剛直に固定しているので、運動は今回は違ったように変換される。しかしながら、溝の配置とボールの配置は、既知の装置に比べて基本的に違うわけではない。
【００１１】
変換器は、更に、滑動板３４と形状がよく似ており、滑動板３４と平行に且つそれと面して走っている、中心軸１６を有する板を備えたアクチュエータ４２を備えている。アクチュエータ４２は、更に、板４２の縁から円筒形凹部の近位端、つまり軸２６に向って伸びる円周壁４４を備えている。壁４４と板４２は、従って、アクチュエータと同軸になるように、滑動板３４を受け入れる開放ハウジングを形成している。変換器３２は、滑動板３４とアクチュエータ４２の板の間に挿入され、自身の面を介してそれらに直接面接触している滑動ライニング４６を備えている。
【００１２】
アクチュエータ４２は、壁４４を円筒形凹部の壁に当てることにより、中心軸１６に沿って凹部１４内で本体６に対して滑動移動できるように取り付けられている。滑動板３４に対してアクチュエータ４２をこのように配置しているので、滑動板３４の螺旋運動により、アクチュエータ４２は、ピストンの方向に中心軸１６と平行に純粋に滑動移動するよう駆動される。アクチュエータが中心軸周りに回転するのを避けるために、スクリュー又は類似の要素をアクチュエータから中心軸１６と平行な本体６の溝内に突出させることにより、又は逆に本体６からアクチュエータの溝内に突出させることにより、この回転が妨げられるように設備を設けてもよい。その場合には、入力軸２６の螺旋運動により、アクチュエータ４２は中心軸１６に沿って滑動する。
【００１３】
本体６には、凹部１４の円筒壁の、アクチュエータの壁４４に面した部分に溝５０が設けられ、溝５０にはシール５２が装着されていて、ブレーキ流体、本例の場合は液体を、壁４４と本体６の間で密封している。このような密封は、入力軸２６と接触しているシール３０も行っている。このような部品配置にしているので、特に２つのシール３０と５２を配置していることにより、ブレーキ２は、下流側つまりピストンの方向に、アクチュエータ４２の板により境界を定められ加圧ブレーキ流体で満たされたチャンバ５４を有することになる。このチャンバ５４は、シール３０まで伸張する本体６の近位部によっても境界を定められている。ブレーキ流体に浸る要素は、従って、軸受２８、リアクションディスク３６、ボール４０、滑動板３４、ライニング４６、及びアクチュエータ４２の面及び小面(facet)の一部である。従って、ピストン２０は、完全にこのチャンバ５４の外側にあり、チャンバ５４から離れている。本例のブレーキは、「乾式チャンバ」と称する第２のチャンバ５６を備えており、第２チャンバ５６は、基本的に大気圧の空気で満たされ、中にはピストン２０が入っている。このチャンバは、アクチュエータ４２の遠位面により、軸２６と同じ側の境界が定められている。
【００１４】
流体チャンバ５４にはブレーキ流体が供給され、図示しないが従来型のダクトとポートにより、既知の方法でマスターシリンダから圧力が掛けられる。チャンバ５４と５６をこのように構成することにより、運転者が車輌のブレーキペダルを踏むとチャンバ５４内に圧力が発生し、その結果、アクチュエータ４２をその近位面からピストンの方向に押すことになる。押されると、アクチュエータ４２は中心軸１６に沿って滑動する。上記運動の間、軸２６、滑動板３４、及びボール４０、そして無論反力板３６は、静止状態に留まる。
乾式チャンバ５６には、凹部１４の円筒面に、ワッシャ６０を収容する溝が形成されており、ワッシャ６０は、中心軸１６に関し半径方向突起として凹部１４内へと伸張し、戻しばね用の支持面として働き、戻しばねの反対側は乾式チャンバ内へ伸びるアクチュエータ４２の遠位面に押し付けられている。このばね６２は、油圧制動命令が止むと、アクチュエータ４２を軸２６に向って戻す戻し手段を構成している。
【００１５】
これより、アクチュエータ４２とピストン２０の間に挿入され、アクチュエータからピストンへと運動を伝達する接続及び磨耗補償用手段７０について説明する。
調整器７０は、中心軸１６を有し、この中心軸に沿って伸び、近位端がアクチュエータ４２に剛直に固定されている雄型支持部品７２を備えている。支持部品は、本例では、円錐台形状を有する外周面７４を有し、円錐の断面はパッドに向って小さくなっている。
ピストン２０は、ショルダ部７６が形成された近位端を有している。調整器７０は、ショルダ部７６に収容された雌型支持部品７８を備えている。具体的には、中心軸１６に垂直な平坦形状の雌型部品７８の遠位面は、ショルダ部の対応する面に押し付けられている。雌型部品７８も、基本的に円筒状の外周面を有している。最後に、雌型部品７８は、本例では円錐台形である内面８０を有し、円錐の断面はパッドに向って同じく小さくなっている。中心軸１６を有する雌型部品７８は、軸方向両端が開いている。
【００１６】
調整器７０は楔８２を有しているが、楔は少なくとも２つ、本例では４つである。楔８２は、互いに同じものである。図２、１１、及び１２に示すように、各楔８２は、それぞれ円錐の４分の１の形状をした外面８４と内面８６の、２つの面を有している。つまり、各面は、円錐表面により画定されているが、この表面は、円錐の中心軸回りに完全に広がることなく断絶されている。２つの面８４と８６は、それぞれの中心軸として軸１６を有している。各楔８２は、中心軸１６に対して半径方向の面内を伸びる平坦な形状の２つの側方平坦面８８を有している。各楔８２は、更に、中心軸１６に対し直角に伸びる２つの端部面である遠位面と近位面９０を有している。４つの面８８、９０、及び９２は、それぞれ、２つの面８４と８６を相互に接合している。
【００１７】
雄型支持部品７２は、それと同軸の雌型支持部品７８の開口内に伸びている。楔８２は、この２つの雄型と雌型支持部品の間の半径方向に挿入されており、雄型部品の外周に亘って配置され、楔の側方面８８は互いに向かい合っている。
雄型部品７２は、中心軸１６に沿う長さが、雌型部品７８の長さよりも、且つ楔８２の長さよりもずっと長い。雄型部品の長さは、ここでは楔の長さの約４倍である。一般的には、雄型部品の長さは、楔の長さの２倍から８倍の間であればよい。
楔は、それぞれ、雌型部品の面８０と雄型部品の面７４に対し、同時に押し付けられるようになっている。下の説明より明らかなように、楔は、パッドの磨耗程度次第で、雄型部品を、雄型部品のアクチュエータ４２近く、又は遠位自由端近くで支える。
【００１８】
このような形状の場合、雄型部品の半径は遠位端に向って小さくなる。この具体例では、楔の内面８６は、半径が、雄型部品７２の面７４の、その面沿いの中間部分の半径と概ね同じになるように選定されている。これにより、楔８２が雄型部品の中央部を支える際には、面７４と面８６との接触はほぼ面接触となる。対照的に、楔８２がアクチュエータ４２に最も接近した面７４の半分を被うように雄型部品を支える際には、接触は基本的には、側方面８８が内面８６と出会うことにより形成される楔８２の２つの辺に沿うものとなる。一方、楔の内面８６の半径が雄型部品の最大半径に等しくなっている場合、他の楔位置では全て、面８６の中間面に沿った線接触が起きる。
同じ理由で、各楔の外面８４は、楔が雌型部品の中央部に面して配置されたときにこの面８４と雌型部品の内面８０との接触が全体的に面接触となるような形状となっている。従って、楔が雌型部品の遠位部に向って徐々に移動すると、接触は、面８８が面８４に出会うことにより形成される両縁部に沿う線形接触へと徐々に変化するが、これもまた雌型部品の接触面の半径が小さくなっていることによる。
代わりに、楔の内面８６が、雄型部品７２の面７４の最小半径と大体同じ半径の面となるように選択することもできる。
【００１９】
調整器７０は、雌型部品７８の外側円筒面とショルダ７６のそれに面する面との間に挿入さている外周円筒壁９３を有するケージ９１を備えている。この壁９３は、折り曲げ部によりその遠位縁部で半径方向に連続している。ケージ９１は、更に、壁９３の近位縁部から半径方向に伸びる、中心軸１６に対して垂直な、基本的に平坦な近位壁９４を有している。
調整器７０は、一方で近位方向では壁９４の面上に当接し、他方で遠位方向では楔８２の近位面に当接するばねを備えている。従って、楔８２は、遠位方向つまりパッドに向けて、中心軸１６に沿って常時押されている。
【００２０】
ピストン２０の中心には、円筒形の穴１００が設けられ、その軸方向近位端は開いていて雄型部品７２が穴１００を貫通できるようになっており、軸方向遠位端はパッド２２により閉じられている。ブレーキは、この穴に収容されたロック解除部品１０２を備えている。この部品は、円筒壁１０４と、中心軸１６に垂直で壁１０４の遠位縁まで伸びている平坦な遠位壁１０６を備えている。ロック解除部品は、その自由な軸方向近位端部縁が楔８２の遠位端と接触してそれを支えることができ、雄型部品７２が部分的にロック解除部品内に収容されるような大きさになっている。ロック解除部品は、楔を中心軸１６に沿って軸２６の方向に押すことができる。ロック解除部品がこの目的に沿って作動できるようにするため、ロック解除部品の外側からピストン内に半径方向に開口する穴をその遠位端近くに設けてもよい。
【００２１】
ロック解除部品１０２には、その円筒壁１０４上に、中心軸１６に対しこの壁から半径方向外向きに突起部として伸張し、ピストンの中央円筒形穴を形成している内部壁に接するリップ部１０５が設けられている。このように、ロック解除部品は、チャンバ５４と外部雰囲気との間に、特に埃に対する、ある程度の密封性を形成している。
ブレーキは、本体６の溝に挿入された、断面が四角形の環状シール１１０を備えており、ピストンの円筒形外面を支持している。この溝の近位側は、中心軸１６に対して垂直であるが、遠位側は曲面になっていて、ピストンが移動するとその影響でシールがパッド方向に変形できるようになっている。このシールは、チャンバ５４の液体には接していないので、この液体に対する密封機能は何ら果たさず、その主な機能は、後に明らかになるように、ピストンをキャリパに対して弾性的に戻すことである。しかしながら、乾式チャンバ５６と外気に関する密封機能も有している。
ブレーキは、更に、一方の縁部がキャリパのショルダ部に装着され他方の縁部がピストンの溝に収容されている、ピストンの位置に関わりなくチャンバ５６を埃や汚れから隔離するためのダストブーツ１１２を備えている。
【００２２】
このブレーキが作動する方法及びこのブレーキの特性についてこれより説明する。
図３及び図４は、制動時の力の伝達を示している。
図３は、制動動作が駐車ブレーキレバーハンドルにより命令された場合について示している。このレバーハンドルにより軸２６に作り出される回転動作は、変換器３２によりこの軸の螺旋運動へと変換され、軸自身は、アクチュエータ４２を、パッドに向け中心軸１６に沿って滑動させる。楔８２が、雄型部品と雌型部品の両方に対して押し付けられ、それらの接触面は傾斜しているので、この力は、雄型部品７２から楔８２に伝達され、次いで雌型部品７８に伝達され、最終的にはピストン２０とそれに固定されたパッド２２に伝えられる。
【００２３】
図４は、制動がブレーキペダルを介して車輌の油圧回路により命令された場合を示している。この状況では、チャンバ５４内の液体の圧力増加によって、アクチュエータ４２がパッドに向けて滑動し、これにより、図３と同じようにして、力が、アクチュエータ４２から、雄型部品、楔、雌型部品、ピストン、を通してパッド２２へ伝達される。
アクチュエータ、雄型部品、楔、雌型部品、及びピストンの、キャリパに対する第１方向１０７のこの運動は、上記部品の互いに対する相対運動を何ら引き起こすことなく行われる。更に、このとき、上記部品間には遊びがなく、各部品は互いに対しては動かない状態で、キャリパに対して一体となって移動する。
【００２４】
図８は非作動状態のブレーキを表し、図９は、図３と同じ状況、つまり機械的制動命令を受け、アクチュエータ４２とパッド２２の間に設けられた部品全てがキャリパに対して滑動しているブレーキの状態を示している。この運動の間、ピストンのキャリパに対する運動により、シール１１０が変形する。制動時、パッド２２、２４がディスク上に擦り付けられることにより僅かな磨耗が生じる。シール１１０は、制動行程の間に、ピストンが、シールを変形させるだけでなく、この制動動作時のパッド厚さの減少分の合計に相当する長さだけ、シールに対してディスク方向に僅かに滑動するように作られている。図９の符合１２０、１２２は、ピストンのシールに対する移動を、図８の整列状態に対比させて示している。
【００２５】
制動命令が中断されると、ばね６２は、アクチュエータ４２、入力軸、及び雄型部品７２を、ディスクから離れる方向に戻す。ピストン２０は、その分、一方ではパッドと接触しているディスク上に生じる反力効果により、他方では元の状態に戻ろうとするシール１１０により作り出される弾性戻り効果により、同じ方向に戻る。しかしながら、ピストンとこのシールの間に生じた滑動のせいで、ピストンの到達位置は、その始動位置から少しずれた位置となり、ピストンは、ノーズ部８に僅かに接近した位置にくる。こうなると、雄型部品７２と雌型部品７８の間の位置に差が生じる。こうして生れた遊びは、楔８２によって直ちに埋められ、即ち、楔８２は、ばね９６の影響下で、雄型部品と雌型部品にを同時に支持できるように再度自らの配置をやり直す。図１０は、その状態を示しており、ピストンが、図８で最初は一致していた符合１２０、１２２で示されている始動位置から、僅かにずれた非作動時位置にきている。楔はこれら２つの符合の間の中間位置を占めている。
【００２６】
従って、ブレーキは、アクチュエータとパッド２２の間にある各部品の間に滑動遊びのない状態に配置し直されたことになる。この結果、次の制動動作時、これら各部品は、上記のようにキャリパ４に対して再度一体となって移動することにより、力を伝達することができるようになる。
以上の作用から、図５から７に示すようにパッド２２と２４が磨耗するにつれて、楔８２は、キャリパのノーズ部に向けて徐々に動かされることになる。より具体的には、楔８２は雄型部品７２に沿って移動し、そしてより狭い範囲で、楔は雌型部品７８に沿って移動するが、本実施形態の部品配置の場合は、雌型部品の移動はより緩慢なものである。従って、装置７０は、パッド磨耗を補償する機能を発揮していることが明らかである。
更に、シール１１０は、パッドがどれほど磨耗したかに関わらず、ピストンを一定の量だけ戻すので、調整器７０が行う摩擦補償に関わらずピストンの作動移動距離が維持される。
【００２７】
調整器７０は、保守作業時のブレーキの手動作業を期待して、楔効果によって、ピストンがキャリパに対して軸２６に向けて手動で戻されるのを防ぐことができるようになっている。この状態でブレーキに関する作業が実行できるようにするために、ロック解除部品１０２を操作して、楔の遠位端に押し当て、楔を軸２６に向けて押し戻せるようになっている。この様に押し返すのは、ばね９６の作用に抗して楔効果と反対の方向に行うわけで、これによって楔を後退させ、ピストンを手で移動させることができるようになる。
【００２８】
図１３から図１８は、楔と、雄型及び雌型部品の他の実施形態を示している。これら実施形態の説明において、第１の実施形態の要素と同様の要素は、符合を１００、２００、又は３００だけ大きくして示している。
図１３及び１４の実施形態では、楔１８２は、パッドの形をしており、その全面が平坦で、その接触面１８４と１８６は、平坦で、互いに対して傾斜しており、楔効果を作り出せるようになっている。楔１８２と雄型部品１７２及び雌型部品１７８の間の接触は、ここでは、常に、パッドの磨耗程度に関わらず面接触である。楔の側方面１８８は、平坦で中心軸１６に対し直角に向いている。前面と後面も平坦で中心軸１６に垂直である。
【００２９】
雄型部品１７２は、この場合、中心軸１６の互いに反対側を伸びている２つの平坦面１７４を有している。これら２つの面は、雄型部品１７２の高さがここでも中心軸１６に向って低くなるように、中心軸１６に対し及び互いに対し、キャリパのノーズ部に向かって僅かに傾斜している。雄型部品は、更に、２つの平坦で相互に平行な側方面１７５を有しており、４つの面１７４と１７５によって雄型部品は長方形断面となっている。
ここで、雌型部品１７０は、それぞれ面１７４に面して伸びる２つの別個の要素に分割されている。各要素１７０は、面１７４と同じ方向に中心軸１６に対して傾斜した平面１８０を有しているが、この面の傾斜は面１７４より急である。各楔の２つの面１８４、１８６の傾斜は、接することになる各面の傾斜と厳密に一致している。本例では、楔は２つであり、雄型部品の側方面１７５は利用していない。しかしながら、面１７５も傾斜面として、別の楔及び雌型部品を配備し、この面でも楔効果が生じるようにしてもよい。磨耗調整器１７０の作用は、図２に関して説明した装置７０の調整器と同じである。
【００３０】
図１５と図１６は、別の実施形態の調整器２７０を示している。雄型部品２７２と雌型部品２７０は、図１３及び図１４の実施形態と同じように構成されている。楔２８２は、ここでは、円筒形ローラーにより形成されている。ローラーと雄型及び雌型部品との間の接触は、常に、中心軸１６に対して直角に向いた線状接触である。上記２つの実施形態では、楔の雄型部品及び雌型部品に対する運動は純粋な滑動運動であったが、本実施形態のローラーの運動は、滑動成分に加えて回転成分も含んでいる。この他の調整器の作用の態様は、先の実施形態の態様と同じである。ここでも、楔１８２は２つであるが、楔の個数はもっと多くてもよい。ばね９６が容易に楔を支持できるようにするため、一体型の中間部品が設けられている。
【００３１】
調整器の別の実施形態を、図１７及び図１８に示している。雄型部品３７２と雌型部品３７０は、この場合、全体形状が第１実施形態の場合と同じ円錐台形状である。ここでは、６つの楔３８２は、常時確実に雄型部品及び雌型部品それぞれと点接触することのできるボールの形態を採っている。ボールがパッド磨耗の関数として移動する際の、中心軸１６回りのボールの正しい位置を維持するために、溝３７３を雄型部品３７２の外面に設け、各溝を雄型部品に沿ってその一方の端から他方の端へ走らせ、それぞれにボールを１つ収容するようにしてもよい。各部品が移動すると、ボールは溝に沿って移動する。雌型部品３７０に同様の溝を形成してもよいし、この雄型部品にだけ形成してもよい。ボールが溝に入っている場合、ボールと対応する部品との接触は円弧状となる。具体的には、溝が雄型部品の遠位端に向って集束するように、ボールを収容している溝が、雄型部品に沿って一定の半径と一定深さを有するように条件を設けてもよい。調整器の作動方法は、この場合も、先の実施形態の調整器と同じである。
【００３２】
上記のものの他にも、調整器の実施形態は多数考えられる。具体的には、楔の形状や、雄型部品及び雌型部品の形状は自由に変更できる。更に、楔の個数は、２つ以上の楔があれば、任意に選定できる。
ディスクブレーキでは、制動動作の後、そしてこの動作が中断されても、２つのパッド２２と２４がディスクと接触したままであることもある。その場合、ピストンはその移動距離の端に留まったままとなる。ある従来型のブレーキでは、ディスクの不可避的な平坦性欠陥に鑑み、ピストンを僅かな移動距離だけ自発的に押して解放する。
【００３３】
本発明によるブレーキでは、アクチュエータ４２は、ばね６２があるためにリアクションディスク３６に向って戻されることになる。通常はこれに続いて、楔８２がキャリパのノーズ部に向けて移動し、雄型部品と雌型部品の間に半径方向に広がる空間を全て満たすことになる。この状況は、楔による楔効果が生じるので、ディスクと接触したピストンを非可逆的に阻止することになる。楔は、従って、通常発生する解放を見込んで、ディスクが、短い移動距離に亘ってピストンを自然に押し戻すことを妨げる。これは、常時制動につながり、過度の燃料消費の原因となり、更には、ライニングの焼け焦げの危険が高まる原因となりかねない。
【００３４】
図１９に示す代替形態は、この問題の解決を目指している。この代替形態では、雄型部品４７２は２つの部品で構成されている。雄型部品４７２はは、アクチュエータ４２に剛直に固定された円筒形の軸４７２ａと、雄型部品と同軸のスライダ４７２ｂを備えている。スライダは、円筒形の内側面を有しており、軸４７２ａの上を滑動移動できるようになっている。スライダの外側は、先の実施形態のものと同じ円錐台形状の接触面７４となっている。軸４７２ａには、自由遠位端近くに、止め輪４７９のようなスライダ停止装置を収容する溝がある。止め輪とアクチュエータの間の距離は、スライダの長さよりも長く、従って、これは、スライダが、一方ではアクチュエータと当接し、他方では止め輪に当接することによる、短い滑動移動距離を限定している。スライダ４７２ａは、アクチュエータ４２に対して、アクチュエータのキャリパ６に対する基準移動距離よりも短い距離だけ、滑動移動することができるので、アクチュエータは、下で分かるように、一旦前進してしまうと、後ろ向きの基準移動距離の間はスライダを駆動することができる。
【００３５】
通常の動作では、このブレーキは先の実施形態のものと全く同様に作動し、軸のこの２つの部分は互いに対して動かない状態に留まっている。
対照的に、ピストン２０が前進位置に留まりパッド２２がディスクを擦っている状態でアクチュエータと軸４７２ａが後退を始める場合、スライダ４７２ａも前進位置に留まりピストンに対して動かない状態にある。しかしながら、軸方向の隙間がアクチュエータ４２とスライダ４７２ａの近位端との間に生じ、この隙間は、ディスクがピストンを後退させるのに十分な大きさであるので、パッドがディスクから離れ、制動作用がなくなる。残りの隙間部分は楔の前進により埋められる。上記各種実施形態では、パッド磨耗調整器は、ピストンの基準移動距離を減少させることなく作動することが分かる。この補償装置は、実際に、軸方向版自由車輪のように挙動する、つまり、可動歯車が軸２６に向って滑動するときには可動歯車の部品類の相対移動を許容するが、可動歯車が逆の移動方向に移動するときには相対移動を妨げるということである。これには、圧力釜（原文のママ）システムを構成するという利点もあり、つまり、車輌の振動を受ける状態でも、部品類の移動が防止されるということである。中心軸１６の回りに楔を相互に対して正確に位置決めするための手段は必ずしも必須というわけではない。これは、装置の特性により、それらは互いに接触すると、自然的に互いに離れ合うように移動するからである。しかしながら、このような位置決め手段を設けることも考えられる。
【００３６】
ピストンを弾性的に戻すシール１１０は、先行技術によるブレーキの場合は、更に、加圧液体チャンバを雰囲気から隔離することにより密封状態を形成しているシールと、本質的には同一である。このシールは、加圧液体チャンバとは隣接していないとはいえ、その構造に維持されている。当業者にとっては、このシールを、ピストンの移動距離が所定の閾値に達するとピストンが滑動するように作ることは容易である。
雄型部品、並びに恐らく雌型部品は、鍛造又は旋削により製造することもできる。しかしながら、好適な製造方法はローリング(rolling)である。パッドは、金属から焼結により、又はプラスチックではモールド成形により製造することができる。材料の選択に当たっては、雄型部品及び雌型部品の変形及び摩耗に比べると、楔の変形や磨耗の方が好ましいことを考慮するべきである。ピストンは、ベークライト又は鋼で作ることができる。
【００３７】
更に、お分かりのように、油圧的であろうと機械的であろうと、どのような制動モードが選択されても、どの部品も、応力を伝達する役割を果たすことなく動くわけではない。更に、アクチュエータ４２の下流、及びアクチュエータから先の部分は、選択された制動モードとは関係なく動くのは同じ部品類である。
更に、加圧液体チャンバは、アクチュエータ４２の上流に広がり、アクチュエータ４２により境界を定められているので、このチャンバに浸っているブレーキ部品の数は少ない。下流に向ってアクチュエータに続く部品類、即ち雄型部品と雌型部品、楔とピストンは、ブレーキ液に接触することなく乾式チャンバ５６内へと伸びている。
【００３８】
その上、ピストン及びパッドから或る距離だけ離れて延在している液体チャンバは、パッドとディスクの接触により発生する熱から一層保護されることになり、これに対し、液体チャンバに連続してピストンを設けると、このチャンバが加熱され、ブレーキ液中に水蒸気が発生し、それによって沸点が下がることにつながりかねないのである。
雄型部品及び雌型部品は、それぞれ、単数又は複数の部品であってもよい。
シール３０は、断面が矩形でもよい。一般的に、シールはそれぞれ形状が異なっていてもよい（Ｏリング、矩形断面など）。
シール１１０の戻し機能は、シール以外の弾性リングにより実現してもよい。
【図面の簡単な説明】
【００３９】
【図１】本発明の好適な実施形態によるブレーキの軸方向断面図である。
【図２】図１のブレーキの軸方向断面の部分概略図である。
【図３】ブレーキを機械的に作動させた場合の力の伝達を示す、図２と同様の図であり、上半分の図では静止時のブレーキを、下半分の図では力の伝達をそれぞれ示している。
【図４】ブレーキを油圧的に作動させた場合の力の伝達を示す、図２と同様の図であり、上半分の図では静止時のブレーキを、下半分の図では力の伝達をそれぞれ示している。
【図５】パッドの磨耗程度に基づく、非作動時のブレーキの状態を示した、図２と同様の軸方向半断面図であり、パッドが新しい状態を示している。
【図６】パッドの磨耗程度に基づく、非作動時のブレーキの状態を示した、図２と同様の軸方向半断面図であり、パッドが中程度磨耗した状態を示している。
【図７】パッドの磨耗程度に基づく、非作動時のブレーキの状態を示した、図２と同様の軸方向半断面図であり、パッドが殆ど磨耗した状態を示している。
【図８】シールによるピストンの弾性的戻りとパッド磨耗による遊びの解消を示す、図２と同様の軸方向半断面図であり、制動動作前のブレーキを示している。
【図９】シールによるピストンの弾性的戻りとパッド磨耗による遊びの解消を示す、図２と同様の軸方向半断面図であり、機械的制動動作中のブレーキを示している。
【図１０】シールによるピストンの弾性的戻りとパッド磨耗による遊びの解消を示す、図２と同様の軸方向半断面図であり、機械的制動動作終了時のブレーキを示している。
【図１１】楔効果要素の構造を示す、図２のブレーキ調整器の簡略化した軸方向断面図である。
【図１２】図１１の要素のＸＩＩ−ＸＩＩ線に沿う断面図である。
【図１３】調整器の別の実施形態を示す図１１と同様の図である。
【図１４】調整器の別の実施形態を示す図１２と同様の図である。
【図１５】調整器の又別の実施形態を示す図１１と同様の図である。
【図１６】調整器の又別の実施形態を示す図１２と同様の図である。
【図１７】調整器の更に又別の実施形態を示す図１１と同様の図である。
【図１８】調整器の更に又別の実施形態を示す図１２と同様の図である。
【図１９】ブレーキの別の実施形態を示す図２と同様の図である。
【国際公開パンフレット】
2004533590.tif 000003
2004533590.tif 000004
2004533590.tif 000005
2004533590.tif 000006
2004533590.tif 000007
2004533590.tif 000008
2004533590.tif 000009
2004533590.tif 000010
2004533590.tif 000011
2004533590.tif 000012
2004533590.tif 000013
2004533590.tif 000014
2004533590.tif 000015
2004533590.tif 000016
2004533590.tif 000017
2004533590.tif 000018
2004533590.tif 000019
2004533590.tif 000020
2004533590.tif 000021
2004533590.tif 000022
2004533590.tif 000023
2004533590.tif 000024
2004533590.tif 000025
2004533590.tif 000026
2004533590.tif 000027
2004533590.tif 000028
2004533590.tif 000029
2004533590.tif 000030
2004533590.tif 000031
2004533590.tif 000032
【国際調査報告】
2004533590.tif 000033
2004533590.tif 000034
2004533590.tif 000035
2004533590.tif 000036